(57)【要約】【課題】  柄付き掃除具での洗浄作業は、柄先にある洗浄部を被清掃部分に押し付け、力強く上下、左右に擦りあげる為、両手を使うなどの相当の力が必要なうえ、力足や、前かがみの姿勢になることがあり、作業者にとっては重労働である。【解決手段】掃除具の柄軸に設けた鞘管を軸受に、挿し込んだ柄軸を押し引きし、先端に取付けたバネ力を持った揺軸部からなる洗浄部に圧力をかけて、これにより生じる反発力を利用して擦り作業を行う掃除具なので、楽々と作業をすることが出来る。【選択図】図１
2013146516.tif 000002
【特許請求の範囲】
【請求項１】
本発明は、長さ約２０ｃｍで、両端開口の円筒形や、円筒形にグリップを設けたチーズ形等の鞘管に、円形の棒を挿し込み、この鞘管を軸受けにして両方向へ摺動可能にすると共に、棒の手前端に把持部を設け、先端約１５ｃｍに亘って双方向に撓る揺軸部を設けて柄を形成し、更に揺軸部の先端には、表面に面ファスナーのフック面を設けたヘッドを取付け更に、スポンジタワシの片面に設けた面ファスナーのループ面に、ヘッドの面ファスナーのフック面を接着させて洗浄部を形成したことを特徴とする鞘管付き掃除具。
【発明の詳細な説明】
【技術分野】
【０００１】  本発明は、浴槽や、床及び、壁面等の掃除具に関する。
【背景技術】
【０００２】イ、  柄付き掃除具を使用する時、柄が長いほど、先端の洗浄部に対して、より強い力が必要になり作業者の労力が増すので、補助ハンドルを設け、両手で作業を行う柄付き掃除具が知られている（特許文献１及び２参照）。
ロ、  柄軸の中間部に内部が螺旋構造をしたハンドルを設け、握り柄を押し込む操作をすると、一体となっている洗浄部位がハンドルの螺旋軌道に沿い機械的に回転し清拭が出来る構造の柄付き掃除具が考案されている（特許文献３参照）。
ハ、  柄軸の中間部に握り易くしたグリップハンドルを介在させ、任意の位置に係止させて使用する柄付き掃除具がある（特許文献４参照）。
ニ、  先端の洗浄部の取付け構造を板バネのように撓りがある部材で形成した柄付き掃除具もある（特許文献５参照）。
【特許文献】
【０００３】
【特許文献１】特許公開２００７−１６７３４５
【特許文献２】特許公開２０１１−２２９７４３
【特許文献３】実用新案登録３１６１５８５
【特許文献４】特許公開平１０−１１７９８６
【特許文献５】特許公開平１１−０１９０１８
【発明の開示】
【発明が解決しようとする課題】
【０００４】  柄付き掃除具で行う壁面や、コーナー部分等の洗浄作業では、柄先にある洗浄部を被清掃部分に押し付けて上下、左右に擦りあげる為、両手使いになるなどの力仕事になり、清掃場所によっては、前かがみ等の窮屈な姿勢になることも多く、作業者にとってはとても辛い作業である。
又、清掃場所の形態により、使い勝手の良し悪しがあり例えば、浴槽内の底や、洗い場のタイル等の床面の洗浄作業に於いては、多くが踏ん張りの必要な力足の姿勢で行われので、柄全体がステッキのように硬直した形状が好まれる一方、浴槽内の壁面や、コーナーの曲り部分を清掃する時は、洗浄部のスポンジタワシなどの先端部分が適度に撓るなど、対象面にほどよく密着する柔軟な形態が良いとされるなか、これらの作業が同時にこなせるマルチタイプの清掃具が求められていた。
【課題を解決するための手段】
【０００５】  本発明は、長さ約２０ｃｍで、両端開口の円筒形や、円筒形にグリップを設けたチーズ形等の鞘管に、円形の棒を挿し込み、この鞘管を軸受けにして両方向へ摺動可能にすると共に、棒の手前端に把持部を設け、先端約１５ｃｍに亘って双方向に撓る揺軸部を設けて柄を形成する。更に揺軸部の先端には、表面に面ファスナーのフック面を設けたヘッドを取付け、更にスポンジタワシの片面に設けた面ファスナーのループ面に、ヘッドの面ファスナーのフック面を接着させて洗浄部を形成する。
以上を特徴とする鞘管付き掃除具である。
【発明の効果】
【０００６】  本発明の掃除具は、柄に取付けた鞘管を操作し、各清掃箇所に適した形に適宜変換して作業を行う形状及び、性能選択形の清掃具である。
例えば、浴槽内の掃除では、先端の洗浄部を被清掃箇所に軽く押し当てながら、鞘管を柄の中間あたりの位置で保持し、これを軸受けにもう一方の手で持った柄を前方に突き出したり、引いたりする、押し引きの往復運動を行い、これによって生じた揺軸部のバネのように撓る力を、連動する洗浄部の擦り動作に利用した、省エネルギーの清掃作業が可能になった他、床磨きでは、鞘管を先端の湾曲ヘッドまで引き下げ、揺軸部全体をカバーして撓りを封じ込め、力足作業に適したステッキ状の柄へ即座に形状を変更し、連続して作業を行うので、道具の取り替えなどに手間取ることなくとても便利になった。
【図面の簡単な説明】
【０００７】
【図１】  本発明の使用直前の実施例を示す斜視図
【図２】  本発明における先端部を構成する洗浄部の形状例を示す側面図
【図３】  本発明の一部である鞘管の各種形状例を示す斜視図
【発明を実施するための最良の形態】
【０００８】      以下、本発明の請求項１の実施の形態を説明する。
イ、  両端が開口の円形の中空筒で、表面に滑り止め加工を施した、長さ約２０ｃｍの鞘管（１）を形成する
ロ、  真っ直ぐな長尺棒で、外径を鞘管（１）の内径よりやや小さく、円形状に形成する。
ハ、  棒を鞘管（１）に挿し込み、鞘管（１）を軸受けにして両方向に自在に摺動するように形成する。
ニ、  又、棒の手前端を把持部（２）として握り易い形状に整形すると共に、棒先約１５ｃｍに亘り、板バネのように撓る、可撓性のある材質を用いて揺軸部（３）を設け、柄（４）を形成する。
ホ、  この揺軸部（３）の先端に、表面には面ファスナーのフック面（５）を取付けたヘッド（６）を、裏側の中央部を取付け位置にして設ける。
ヘ、  ヘッド（６）の表面積より少し大きく成形したスポンジタワシ（７）の片面に、面ファスナーのループ面（８）を取付ける。
ト、  スポンジタワシ（７）と、ヘッド（６）の互いの面ファスナーを押し付けて貼り合せ、洗浄部を成形した鞘管付きの掃除具を形成する。
チ、  尚、洗浄部のヘッド（６）は、かまぼこ屋根形や、平板を矩形や、台形などの形状に成型して用いても良く、又鞘管（１）についても、円筒形の他、図３のように管の中央部分に直交してＴ形にグリップを形成した、チーズ形の鞘管等でも機能上何ら問題なく、使用者の好みによって掃除具の選択ができるようになり、より好ましい。【０００９】      次に、これを使用する時は
リ、  例えば、床の清掃では、柄（４）に取付けた長さが約２０ｃｍの鞘管（１）を、先端のヘッド（６）まで引き下げ、約１５ｃｍの長さの揺軸部（３）全体を覆う。
ヌ、  これにより、揺軸部（３）は、機能である撓りを封じ込められ、柄（４）は通常のステッキ柄と同様な形態になり、この柄（４）にかけた力が先端の洗浄部に直接伝わり、力足作業に適した掃除具として使用出来るようになる。
ル、  次に、浴槽内の壁周りや、コーナー部分の清掃時には、鞘管（１）を、柄（４）のほぼ中間位置まで引き揚げて保持する。
ヲ、  これにより、揺軸部（３）は、全体が露出されて、ゴルフクラブのヘッドのように撓る、本来の機能を回復する。
ワ、  もう一方の手で把持部（２）を握り、先端の洗浄部を被清掃箇所に軽く押し当てながら、鞘管（１）を軸受けに、柄（４）を前方に突き出して先端部分に圧力をかけると、揺軸部（３）が撓り、連動する洗浄部のスポンジタワシ（７）が壁面や、コーナーなどに押付けられ密着しながら擦り動作を行うことになる。
カ、  突き出しの後、柄（４）を手前方向に引き揚げると、撓った揺軸部（３）は、原形の直状態に復旧する。
ヨ、  上述するように本発明の掃除具は、鞘管（１）を支軸として、柄（４）に与える簡単な押し、引きの往復動作により生じた揺軸部（３）の反力を、擦り動作に変換させて清掃作業を行うので、従来のような強い腕力を必要とせず、又、前かがみなどの辛い体勢になることなく子供や、お年寄りでも楽々と作業が出来るようになる。
タ、  又、柄（４）については、作業者の身長差により、長短の選別がなされる場合もあり、周知の伸縮棒を用いた柄や、継ぎ足し可能な分割型の柄にすることも良い。
レ、  使用後のスポンジタワシ（７）は、衛生上の観点から、乾燥や、殺菌消毒の為に時々取外し、取付けをする他、消耗による交換等もあり、簡単に取り換えが出来ることが好ましく、本発明の掃除具は、面ファスナーによる脱着方式なので簡単に交換作業が出来て大変便利である。
【符号の説明】
【００１０】１        鞘管
２        把持部
３        揺軸部
４        柄
５        面ファスナーのフック面
６        ヘッド
７        スポンジタワシ
８        面ファスナーのループ面
【図１】
2013146516.tif 000003
【図２】
2013146516.tif 000004
【図３】
2013146516.tif 000005